(57)【特許請求の範囲】
【請求項１】
発射された遊技球を遊技盤の遊技領域へと誘導する球誘導通路の球出口付近に設けられ、前記遊技領域に放出された遊技球が前記球誘導通路に戻ることを防止する球戻り防止装置において、
前記球誘導通路を構成する内側レールの上端部に固定される支持部材と、前記支持部材に軸支され前記球誘導通路の球出口を開閉する揺動部材と、前記支持部材に装着され少なくとも２つの片部により下向きＶ字状に拡開する挟着部が形成されている規制部材とを備え、
前記規制部材は前記支持部材の下端側に位置するように設けられており、前記球誘導通路に糸状体が侵入した場合に該糸状体を前記挟着部の奥部で捕捉し、その動きを規制するようにしたことを特徴とする球戻り防止装置。
【請求項２】
前記規制部材は、切り込みを入れることにより複数の片部を形成すると共に、隣接する片部が互いに離間するように起立させることで前記挟着部を形成していることを特徴とする請求項１記載の球戻り防止装置。
【請求項３】
前記規制部材は、複数の切り込みを入れることにより複数の片部を形成すると共に、隣接する片部が互いに離間するように１つ置きに起立させることで複数の前記挟着部を形成していることを特徴とする請求項１記載又は２記載の球戻り防止装置。
【請求項４】
前記規制部材は、１の片部から他の片部が延設され、前記他の片部を前記１の片部側に折り返して挟着部を形成していることを特徴とする請求項１記載の球戻り防止装置。
【発明の詳細な説明】
【技術分野】
【０００１】
本発明は、パチンコ遊技機等の弾球遊技機に装着される球戻り防止装置に関する。
【背景技術】
【０００２】
パチンコ遊技機のような弾球遊技機は、遊技盤の遊技領域に入賞口が設けられていて、この入賞口に遊技領域を落下する遊技球を如何に入球させるかを楽しむものである。そして、弾球遊技機には、発射装置によって発射させた遊技球を遊技領域の上方へと適切に導くための球誘導通路が設けられている。また、球誘導通路を介して遊技領域へと一旦放出された遊技球が再び球誘導通路に戻って来てしまうことがないように、球誘導通路の出口部に球戻り防止装置を装着するものが多々存在している（例えば、特許文献１）。
【０００３】
上記のとおり、パチンコ遊技機等は、遊技球を入賞口に入球させることを楽しむものであるが、近時、不正に遊技球を入賞口に入球させて利益を得るといった行為が多発している。その一例として、釣糸のような糸状体を取着した遊技球を遊技領域へと送り出し、糸状体を手元で操作することによって入賞口に遊技球を入球させた後、さらに糸状体を手元で操作することで遊技球を上下させ、何度も入賞口へ入球させるといった不正行為が頻発している。そして、このような不正行為を防止するために、例えば、特許文献１に示されたもののように、球戻り防止装置の揺動部材９０の先端に刃状の切断部９４を設けたものが提案されている。
【先行技術文献】
【特許文献】
【０００４】
【特許文献１】特開２０１２−５０７６７号公報
【発明の概要】
【発明が解決しようとする課題】
【０００５】
しかしながら、特許文献１に記載されたもののように、刃状の切断部９４によって糸状体を切断しようとした場合、必ずしもその目的を達し得ないことがある。なぜなら、糸状体として使用される釣糸は、近時の技術革新により、その強度を増しており、必ずしも切断されるとは限らないからである。また、特許文献１に記載されたものは、次のような問題もある。すなわち、もともとパチンコ遊技においては、遊技盤の左側から遊技球を流下させて、該遊技球を入賞口へと入球させようとするのが一般的であったが、最近のパチンコ遊技では、遊技盤の右側へ遊技球を打ち込み、遊技盤の右側から遊技球を流下させて入賞口へと入球させるといったことも行われるようになっている（いわゆる右打ち）。このような、右打ちをした場合、糸状体を取着した遊技球は、放物線を描いて遊技盤の遊技領域上方を飛球することになり、必然的に該遊技球に取着されている糸状体も遊技領域上方を移動することになる。この場合、特許文献１に記載されたもののように、球戻り防止装置の揺動部材９０の先端に刃状の切断部９４が設けてあると、糸状体が当該切断刃９４に接触すらしないという事態も起こり得る。さらに言えば、特許文献１に記載されているものの場合、遊技球を左側から流下させ、糸状体が揺動部材９０に垂れ下がるようにしなければ、その目的を達成することができない。
【０００６】
そこで、本発明は、釣糸のような糸状体を取着した遊技球を使用した不正行為を確実に防止し得る球戻り防止装置を提供することを目的としている。
【課題を解決するための手段】
【０００７】
かかる目的を達成するため本発明に係る球戻り防止装置は、発射された遊技球を遊技盤の遊技領域に誘導する球誘導通路の球出口付近に設けられ、前記遊技領域に放出された遊技球が前記球誘導通路に戻ることを防止する球戻り防止装置であって、前記球誘導通路を構成する内側レールの上端部に固定される支持部材と、前記支持部材に軸支され前記球誘導通路の球出口を開閉する揺動部材と、前記球誘導通路に糸状体が侵入した場合に該糸状体の動きを規制する規制部材とを備え、前記規制部材には、前記球誘導通路と平行な複数の切り込みを入れることにより複数の短冊状片が形成されており、該複数の短冊状片は隣接する短冊状片が離間するように１つ置きに起立させていることを特徴としている。
【０００８】
また、本発明に係る球戻り防止装置にあっては、前記規制部材の短冊状片を前記支持部材の下端側に位置させることが好ましい。このように構成することで、釣糸のような糸状体を取着した遊技球を使用した不正行為が行われた場合、当該糸状体を確実に規制部材に捕捉させ、その動きを規制することができる。また、短冊状片を支持部材の下端側に位置させると、遊技者の目につきやすいため、前記不正行為を未然に防ぐことも期待できる。
【発明の効果】
【０００９】
本発明に係る球戻り防止装置によれば、釣糸のような糸状体を取着した遊技球を使用した不正行為を確実に防止することができる。しかも、球戻り防止装置の部品点数が少なく、組み立ても簡単で、球戻り防止装置の製造コストを安価に抑えることも可能である。
【図面の簡単な説明】
【００１０】
【図１】パチンコ遊技機の正面図。
【図２】球戻り防止装置の斜視図。
【図３】球戻り防止装置の分解斜視図。
【図４】球戻り防止装置の平面図。
【図５】球戻り防止装置のＡ−Ａ断面図。
【図６】遊技盤上に取付けた球戻り防止装置に対し遊技球が通過する状態を示す正面図。
【図７】遊技盤上に取付けた球戻り防止装置に対し糸状体が装着された不正遊技球が通過する状態を示す図。
【図８】遊技盤上に取付けた球戻り防止装置に対し糸状体が装着された不正遊技球が通過する状態を示す正面図。
【図９】第２実施の形態の球戻り防止装置の斜視図。
【図１０】第２実施の形態の球戻り防止装置の斜視図。
【図１１】第３実施の形態の球戻り防止装置の斜視図。
【図１２】第３実施の形態の球戻り防止装置を裏側から見た斜視図。
【発明を実施するための形態】
【００１１】
以下、本発明の実施形態を図面に基き説明する。なお、実施形態を説明するにあたり、まず、本発明の実施形態における球戻り防止装置が装着されるパチンコ遊技機の概略について説明し、次いで、球戻り防止装置の具体的な構成を説明する。
【００１２】
図１はパチンコ遊技機の正面図である。パチンコ遊技機Ｐは、縦長な方形状に枠組み形成された機枠１と、該機枠１の一側に軸支部２ａ，２ｂによって開閉自在に軸着される遊技盤３が配設された本体枠とを備え、さらに該本体枠の前面に透明板保持枠４と、打球供給皿５を有する前板６と、余剰球受皿７及び発射ハンドル８を有する下板９とが開閉自在に軸着されている。
【００１３】
前記本体枠に配設された遊技盤３には、図１に示すように、その前面に発射された遊技球を誘導する内側レール１０ａと外側レール１０ｂがほぼ円形状に敷設され、該内側レール１０ａと外側レール１０ｂに囲まれた部分が遊技領域１１になっている。そして、該遊技領域１１の中央には、文字、数字などの図柄を変動表示する表示部を備えた可変表示装置１２が装着され、その直下に遊技球が入賞すると図柄を変動させる始動入賞口１３が、さらにその両側には、一般入賞口１４，１４が配設されている。また、始動入賞口１３の下方には、可変表示装置１２の表示部に表示された図柄が停止し、その停止した図柄が特定の図柄（例えば、「７７７」）に揃った場合、一定の条件の下で一度に多くの入賞球が得られる入賞装置１５が装着されている。また、遊技領域１１の最下端には遊技領域１１に打ち込まれた遊技球のうち、いずれの入賞口にも入賞しなかった遊技球をパチンコ遊技機Ｐの外部に排出するためのアウト球口１６が配設されている。
【００１４】
前記内側レール１０ａと外側レール１０ｂは、ステンレスなどを素材とする金属製の帯板で厚みが０．６ｍｍ程度に成形されている。そして、遊技盤に配設された内側レール１０ａと外側レール１０ｂの間に、遊技球が１個通過し得る間隔の球誘導通路１７が形成されている。すなわち、内側レール１０ａと外側レール１０ｂの間は、発射装置（図示しない）から発射された遊技球を遊技領域１１へと誘導する球誘導通路１７となっている。なお、内側レール１０ａは、遊技球が打ち出される遊技領域１１の上部位置まで設けられていて、その上部位置が球出口１８となっている。そして、内側レール１０ａの上端部に球戻り防止装置Ａが装着されている。
【００１５】
次に、図２乃至図５を参照しつつ、球戻り防止装置の構成について説明する。図２乃至図５に示されているように、球戻り防止装置Ａは、内側レール１０ａの上端部に固定される支持部材２０と、該支持部材２０に軸支され球誘導通路１７の球出口１８を開閉する揺動部材３０と、球誘導通路１７に糸状体Ｌが侵入した場合に該糸状体Ｌの動きを規制する規制部材４０とによって概略構成されている。
【００１６】
前記支持部材２０は、合成樹脂等により略方形枠状に成形されており、その上半部に揺動部材３０を配置するための開口部２１が開設されている。すなわち、支持部材２０は、下端部２０ａと、開口部２１の両側を塞ぐ両側辺部２０ｂ，２０ｂと、開口部２１の上側を塞ぐ上側辺部２０ｃとによって略方形枠状に成形されている。そして、両側辺部２０ｂ，２０ｂの上端よりの位置には支軸２２を軸支するための一対の軸孔２３，２３が穿設されている。また、遊技盤３側に位置させる側辺部２０ｂには、後述する規制部材４０を固定させるための小突起２４が設けられている。また、支持部材２０の下端部２０ａであって遊技領域１１側に位置させる部位には、内側レール１０ａの上端部を当接させるための湾曲状の凹部２５が形成されている。さらに、該凹部２５は、その一方側（透明板保持枠側）のみに凹部２５を塞ぐように設けられた壁板２６が形成されており、該壁板２６に釘２７を挿通するための固定孔２８が穿設されている。さらに、下端部２０ａの球誘導通路１７側の下縁には、傾斜状に隆起する斜面部２９が形成されている。
【００１７】
前記揺動部材３０は、合成樹脂等により成形されており、その中央部に支軸２２を挿通するための軸挿入孔３１が形成された円筒部３２が設けられている。また、円筒部３２の一方側（下方）には、略円筒状の錘部３３が連設されており、この錘部３３には錘の役割を果たす螺子３４が挿通される貫通孔３５が形成されている。なお、円筒部３２と錘部３３は連設していて、その幅方向からみると、やや８の字型をした横長楕円形状になっている。さらに、円筒部３２の他方側（下方）には、斜め上方に延出するように薄板矩形状の球止め片３６が設けられている。なお、揺動部材３０の幅は、支持部材２０の開口部２１の内法よりも若干短く設定されており、揺動部材３０は、支持部材２０の開口部２１に揺動自在に軸支されるようになっている。
【００１８】
前記規制部材４０は、金属製の薄板の部材で、その上半部が支持部材２０の開口部２１に合致するコ字型の切欠部４１になっており、その下半部は、規制部材２０の下端部２０ａを覆う下片部４２となっている。また、切欠部４１の両側には規制部材２０の側辺部２０ｂを覆う側片部４３，４３が垂下しており、さらに、該側片部４３，４３の両側部中央に小片４４，４４が延設されている。また、遊技盤３側に位置させる側辺部４４には、支持部材２０の小突起２４を嵌合させるための嵌合孔が穿設されている。さらに、下片部４２の下端には斜め下方に延出する糸止め片部４５が形成されている。そして、この糸止め片部４５には、球誘導通路１７と平行な複数の切り込みを入れることにより複数の片部である短冊状片４５ａ，４５ｂ・・・が形成されている。また、これら短冊状片４５ａ，４５ｂ・・・は、図５及び図７に示されているように、１つ置きに起立させてある。そのため、これら短冊状片４５ａ，４５ｂ・・・は、隣接する短冊状片４５ａと４５ｂが互い違いに離間し、短冊状片の幅方向から見ると、短冊状片４５ａと短冊状片４５ｂの間にＶ字状の溝が形成されることになり、また、短冊状片４５ａと短冊状片４５ｂの奥溝部分は若干交差状になっており、これらが挟着部として機能する。すなわち、仮に球誘導路１７内に糸状体Ｌが入ってきた場合、この短冊状片４５ａと４５ｂによって形成されたＶ字状の溝（挟着部）に糸状体Ｌが引掛かり、その動きが規制されることになる。なお、この実施の形態においては、短冊状片４５ｂ，４５ｂ・・のみを起立させた例を示したが、短冊状片４５ａ，４５ａ・・も若干起立させ、さらにそれよりも角度をつけて短冊状片４５ｂ，４５ｂを起立させてもよい。要は、短冊状片の幅方向から見てＶ字状の溝（挟着部）が形成され、この挟着部に糸状体Ｌが引っ掛かるようになっていればよい。さらに、糸止め片部４３は、図４に示されているように、その一側から他側に向かって傾斜する形状になっている。具体的には、球戻り防止装置Ａが装着された状態において、糸止め片部４３は、遊技盤３側から透明板保持枠４側に進むに従い漸次外側へ拡がるような傾斜する形状になっている。
【００１９】
球戻り防止装置Ａは前記のように構成されているが、ここで、球戻り防止装置Ａの組み立てについて説明しておく。球戻り防止装置Ａを組み立てるには、まず、揺動部材３０の錘部３３の貫通孔３５に錘の役割を果たす螺子３４を螺着する。次いで、支持部材２０の開口部２１に揺動部材３０の円筒部３２及び錘部３３を挿入する。そして、支持部材２０の両側辺部２０ｂ，２０ｂの軸受孔２３，２３と揺動部材３０の円筒部３２の軸挿入孔３１とを合致させ、ここに支軸２２を挿通する。さらに、規制部材４０を支持部材２０に重ね合せる。この時、規制部材４０の側片部４３，４３は、下片部４２とフラットな状態になっているので、これら側片部４３，４３のそれぞれを支持部材２０の側辺部２０ｂ，２０ｂ側に９０度折曲げる。その際、支持部材２０の側片部２０ｂに設けられている小突起２４に規制部材４０の側片部４３に穿設されている嵌合孔を合致させる。これにより、規制部材４０が支持部材２０に対し、適正な位置に配置されることになる。後は、規制部材４０の小片４４，４４を支持部材２０に巻き込むように９０度折曲させれば、球戻り防止装置Ａの組み立てが終了する。なお、規制部材４０の側片部４３，４３が支持部材２０の側辺部２０ｂ，２０ｂを覆うことになるため、同時に側辺部２０ｂ，２０ｂの軸受け孔２３も塞がれることになり、揺動部材３０を軸支している支軸２２が抜脱することがなくなる。このように、規制部材４０が支軸２２の抜けを防止する役割を果たしていることから、その分、部品点数を減少させることができ、また、規制部材４０が薄板状であることから、球戻り防止装置Ａ自体の厚みを小さくすることができる。さらに、規制部材４０の側片部４３，４３及び小片４４，４４を折曲げるという単純な作業で球戻り防止装置Ａを組立てることができるので、組み立てに要する労力も軽減することができる。
【００２０】
上記のように組立てられた球戻り防止装置Ａを遊技盤に装着するにあたっては、まず、球戻り防止装置Ａの支持部材２０の凹部２５を遊技盤３に敷設されている内側レール１０ａの上端部内側面に宛がう。後は、支持部材２０の壁板２６に穿設されている固定孔２８に釘２７を挿通し、釘２７を遊技盤３に打ち込めば、内側レール１０ａの上端部に球戻り防止装置Ａが装着されることになる。このように、球戻り防止装置Ａは、その組み立てのみならず、内側レール１０ａへの取付作業もきわめて簡単に行うことができる。
【００２１】
次に、球戻り防止装置Ａの動作について説明する。発射装置（図示しない）から遊技球Ｂが発射されると、遊技球Ｂは内側レール１０ａと外側レール１０ｂによって形成された球誘導通路１７に沿って上昇する。そして、遊技球Ｂは、球出口１８から遊技領域１１へと放出される直前に球戻り防止装置Ａの揺動部材３０に接触する。すなわち、図６に示されているように、常態において、揺動部材３０の球止め片３６は、球誘導通路１７を塞ぐ方向に傾動しており、該球止め片３６の先端部と外レール１０ｂとの間隔は、遊技球が通過できる幅がない。そのため、遊技球Ｂは球出口１８から遊技領域１１へ移動する直前に球止め片３６に必ず接触することになる。そして、遊技球Ｂが球止め片３６に接触すると、球止め片３６は遊技球Ｂに押されて時計回り方向へと回動し、遊技球Ｂは遊技領域１１へと放出される。他方、遊技球Ｂが遊技領域１１へと放出されると、揺動部材３０の球止め片３６は螺子３４（錘）によって反時計回り方へと回動し、再び球誘導通路１７を塞ぐ方向に傾動した状態となる。そのため、一旦、遊技領域１１に放出された遊技球Ｂが、例えば、遊技盤３に植設されている釘等に衝突し球誘導通路１７の方へと跳ね返されてきたとしても、揺動部材３０の球止め片３６が球誘導通路１７を塞ぐ方向に傾動し球出口１８を塞いでいるため、当該遊技球Ｂが再び球誘導通路１７へ戻って来てしまうことはない。基本的に球戻り防止装置Ａは、上述したように動作する。
【００２２】
そして、釣糸のような糸状体Ｌを取着した不正な遊技球が使用された場合、球戻り防止装置Ａは以下のように作用する。すなわち、図７及び図８に示すように、不正な遊技球Ｂが発射され、当該遊技球Ｂが揺動部材３０の球止め片３６に到達すると、遊技球Ｂに取着された糸状体Ｌは、規制部材４０の糸止め片部４５に接触することになる。この時、糸止め片部４５は、その一側から他側に向かって斜めになっていることから、糸止め片部４５に接触する糸状体Ｌは、傾斜に沿って図８の矢印方向へと導かれていく。そして、糸止め片部４５の短冊状片４５ｂは短冊状片４５ａに対し起立しているので、糸状体Ｌは、糸止め片部４５の短冊状片４５ａと４５ｂの間に嵌り込み、その動きが規制されることになる。すなわち、糸状体Ｌは、その位置から移動することができなくなるので、不正者が糸状体Ｌを手元で操作する行為を完全に封じ込めることができ、ひいては、不正行為の実行を不可能にすることができる。なお、糸状体Ｌが比較的強度の弱いものである場合には、糸状体Ｌは短冊状片４５ａ、若しくは４５ｂの側縁で切断されることになり、この場合も、不正行為の実行を不可能にすることができる。
【００２３】
以上のように、本発明に係る球戻り防止装置によれば、釣糸のような糸状体を取着した遊技球を使用した不正行為を確実に防止することができる。特に、本発明に係る球戻り防止装置は、規制部材を支持部材の下端側に位置するように設けていることから、いわゆる右打ちをした場合であっても、球誘導通路に侵入した糸状体を挟着部の奥部で捕捉し、糸状体の動きを確実に規制することができる。
【００２４】
図９及び図１０は、本発明に係る球戻り防止装置の第２実施の形態を示すものである。この第２実施形態は、主として、前記した第１実施形態の規制部材に変更を加えたものなので、以下、変更を加えた規制部材について説明する。なお、第２実施形態において前記した実施の形態と同じ構成要素には同一符号を付して説明する。
【００２５】
この実施の形態の球戻り防止装置Ｂの規制部材５０は、金属製の薄板の部材で、その下端部が支持部材２０の下端部から張り出すように突出し、その突出部分が糸状体Ｌを捕捉する糸止め片部５１として形成されている。そして、この糸止め片部５１は、その下側辺（先端辺）が左右それぞれの縁から中央部に向かって傾斜状に切り欠かれている。具体的には、規制部材５０の糸止め片部５１の下端部分は、内側に平面視ほぼ山形形状に切り欠かれてＶ字状をなし、また、その切り欠き部分の中央部がさらに切り欠かれて窪部５２が形成されている。そして、切り欠き部分の略中央、すなわち、窪部５２の略中央から前後方向に向けて１つの切り込み５３が入っており、この切り込みを境に糸止め片部５１が右側の第１片部５１ａと左側の第２片部５１ｂとに区画されている。また、切り込み５３は、幅方向へ傾斜しており、この実施形態では右側へ若干傾斜している。さらに、第１片部５１ａは第２片部５１ｂに対し若干起立させてある。これにより第１片部５１ａと第２片部５１ｂとが互い違いに離間し、幅方向から見ると、第１片部５１ａと第２片部５１ｂの間にＶ字状の溝が形成されることになり、また、第１片部５１ａと第２片部５１ｂの奥溝部分は若干交差状になっており、これが挟着部として機能する。すなわち、仮に球誘導路１７内に糸状体Ｌが入ってきた場合、この第１片部５１ａと第２片部５１ｂによって形成されたＶ字状の溝（挟着部）に糸状体Ｌが引掛かり、その動きが規制されることになる。なお、この実施の形態においては、第１片部５１ａのみを起立させた例を示したが、これに限られるわけではない。要するに、第１片部５１ａと第２片部５１ｂによって幅方向から見てＶ字状の溝（挟着部）が形成され、この挟着部に糸状体Ｌが引っ掛かるようになっていればよい。
【００２６】
そして、釣糸のような糸状体Ｌを取着した不正な遊技球が使用された場合、第２実施の形態に示した球戻り防止装置Ｂは以下のように作用する。すなわち、不正な遊技球Ｂが発射され、当該遊技球Ｂが揺動部材３０の球止め片３６に到達すると、遊技球Ｂに取着された糸状体Ｌは、規制部材５０の第１片部５１ａ、若しくは第２片部５１ｂに接触することになる。この時、規制部材５０の糸止め片部５１の下側辺（先端辺）は、Ｖ字状に切り欠かれていることから、第１片部５１ａ、若しくは第２片部５１ｂに接触する糸状体Ｌは、傾斜に沿って中央部へと誘導されて窪部５２に取り込まれる。そして、第１片部５１ａは第２片部５１ｂに対し起立しているので、糸状体Ｌは、第１片部５１ａと第２片部５１ｂの間に嵌り込み、その動きが規制されることになる。すなわち、糸状体Ｌは、その位置から移動することができなくなるので、不正者が糸状体Ｌを手元で操作する行為を完全に封じ込めることができ、ひいては、不正行為の実行を不可能にすることができる。
【００２７】
図１１及び図１２は、本発明に係る球戻り防止装置の第３実施の形態を示すものである。この第３実施形態は、主として、前記した第１実施形態の規制部材に変更を加えたものなので、以下、変更を加えた規制部材について説明する。なお、第３実施形態において前記した実施の形態と同じ構成要素には同一符号を付して説明する。
【００２８】
この実施の形態の球戻り防止装置Ｃの規制部材６０は、金属製の薄板の部材で、その下端部が支持部材２０の下端部から張り出すように突出し、その突出部分が糸状体Ｌを捕捉する糸止め片部６１として形成されている。そして、この糸止め片部６１は、図１２に示されているように、その下側辺（先端辺）が左右それぞれの縁から略中央部に向かって傾斜状に切り欠かれている。具体的には、規制部材６０の糸止め片部６１の下端部分は、内側に平面視ほぼ山形形状に切り欠かれてＶ字状をなしている。また、糸止め片部６１の側辺、この実施の形態では右側辺に略矩形状の折返し片部６２が延設されていて、この折返し片部６２は糸止め片部６１の右側辺の折曲線６３から糸止め片部６１側に折り返されている。また、折返し片部６２の下側辺は、内側（球止め片３６側）に向けてやや傾斜している。さらに、折返し片部６２は、その左右方向の長さが糸止め片部６１の略半分程度の長さになっているため、糸止め片部６１の下側辺と折返し片部６２左側辺の間にＶ字状の溝が形成され、これが挟着部として機能することになる。すなわち、仮に球誘導路１７内に糸状体Ｌが入ってきた場合、この糸止め片部６１と折返し片部６２によって形成されたＶ字状の溝（挟着部）に糸状体Ｌが引掛かり、その動きが規制されることになる。なお、この実施の形態においては、糸止め片部６１の右側辺に略矩形状の折返し片部６２が延設されている例を示したが、これに限られるわけではない。要するに、折返し片部６１を糸止め片部６１側に折り返すことで規制部材６０にＶ字状の溝（挟着部）が形成され、この挟着部に糸状体Ｌが引っ掛かるようになっていればよい。
【００２９】
そして、釣糸のような糸状体Ｌを取着した不正な遊技球が使用された場合、第３実施の形態に示した球戻り防止装置Ｃは以下のように作用する。すなわち、不正な遊技球Ｂが発射され、当該遊技球Ｂが揺動部材３０の球止め片３６に到達すると、遊技球Ｂに取着された糸状体Ｌは、規制部材６０の糸止め片部６１、若しくは折返し片部６２に接触することになる。この時、規制部材６０の糸止め片部６１の下側辺、及び折返し片部６２の下側辺が内側に向かう傾斜状になっていることから、糸止め片部６０、若しくは折返し片部６２に接触する糸状体Ｌは、傾斜に沿って中央部へと誘導されてＶ字状の溝（挟着部）に取り込まれ、糸状体Ｌは、糸止め片部６０と折返し片部６２の間に嵌り込み、その動きが規制されることになる。すなわち、糸状体Ｌは、その位置から移動することができなくなるので、不正者が糸状体Ｌを手元で操作する行為を完全に封じ込めることができ、ひいては、不正行為の実行を不可能にすることができる。
【符号の説明】
【００３０】
Ａ            球戻り防止装置
Ｌ            糸状体
３            遊技盤
１０ａ        内側レール
１０ｂ        外側レール
１１          遊技領域
１７          球誘導通路
１８          球出口
２０          支持部材
３０          揺動部材
４０          規制部材
４４ａ        短冊状片
４４ｂ        短冊状片
【要約】
【課題】  操作糸を付けた遊技球による不正行為を防止できる球戻り防止装置を提供する。
【解決手段】  球誘導通路を構成する内側レール１０ａの上端部に固定される支持部材２０と、支持部材２０に軸支され球誘導通路の球出口を開閉する揺動部材３０と、支持部材２０に装着され２以上の片部により下向きＶ字状に拡開する挟着部が形成されている規制部材４０とを備え、規制部材４０は支持部材２０の下端側に位置するように設けられており、球誘導通路に糸状体が侵入した場合に該糸状体を挟着部の奥部で捕捉し、その動きを規制するようにしている。
【選択図】  図７【図１】
0005946942.tif 000002
【図２】
0005946942.tif 000003
【図３】
0005946942.tif 000004
【図４】
0005946942.tif 000005
【図５】
0005946942.tif 000006
【図６】
0005946942.tif 000007
【図７】
0005946942.tif 000008
【図８】
0005946942.tif 000009
【図９】
0005946942.tif 000010
【図１０】
0005946942.tif 000011
【図１１】
0005946942.tif 000012
【図１２】
0005946942.tif 000013